(57)【要約】【課題】詰替え作業を簡易かつ良好に行える詰替え容器用スパウト及びこれを備えた詰替え容器を提供すること。【解決手段】被詰替え容器Ｃに補充する内容物を収容する詰替え容器に設けられる詰替え容器用スパウト２であって、詰替え容器に収容された内容物の注出路Ｔを構成する略筒状の注出部３と、注出路Ｔを閉塞する閉塞部５を有する蓋部材４とを備え、注出部３と蓋部材４とは、蓋部材４が注出部３に被さる状態で、閉塞部５が注出路Ｔを閉塞する閉塞位置から閉塞しなくなる開放位置にまで相対的にスライドさせることが可能であり、蓋部材４は、閉塞部５が開放位置にあるときに注出路Ｔを蓋部材４の外側に連通させる開口部７を有する。【選択図】図１
2011207489.tif 000002
【特許請求の範囲】
【請求項１】
被詰替え容器に補充する内容物を収容する詰替え容器に設けられる詰替え容器用スパウトであって、
前記詰替え容器に収容された内容物の注出路を構成する略筒状の注出部と、
前記注出路を閉塞する閉塞部を有する蓋部材とを備え、
前記注出部と前記蓋部材とは、該蓋部材が該注出部に被さる状態で、前記閉塞部が前記注出路を閉塞する閉塞位置から閉塞しなくなる開放位置にまで相対的にスライドさせることが可能であり、
前記蓋部材は、前記閉塞部が前記開放位置にあるときに前記注出路を該蓋部材の外側に連通させる開口部を有する詰替え容器用スパウト。
【請求項２】
前記注出部及び前記蓋部材はそれぞれ、略筒状の側壁と該側壁の先端側に連設された先端壁とを備え、前記注出部の側壁の外周面に前記蓋部材の側壁の内周面が沿う状態で該注出部と該蓋部材とは相対的にスライド可能であり、
前記注出部の先端壁に、前記注出路の下流部を構成する貫通孔が設けられていると共に、前記蓋部材の先端壁に前記閉塞部が設けられ、該閉塞部は前記貫通孔を閉塞することによって前記注出路を閉塞し、
また、前記蓋部材の先端壁に前記開口部が設けられている請求項１に記載の詰替え容器用スパウト。
【請求項３】
前記蓋部材の側壁の内周面又は前記注出部の側壁の外周面の何れか一方に係止部が設けられ、
他方に、前記閉塞部が前記閉塞位置にあるときに前記係止部が係止する第一被係止部と、前記閉塞部が前記開放位置にあるときに前記係止部が係止する第二被係止部との何れか一方若しくは両方が設けられている請求項１または２に記載の詰替え容器用スパウト。
【請求項４】
前記閉塞部が前記閉塞位置にある状態で前記注出部と前記蓋部材との相対的なスライドを規制し、この規制の解除が可能に構成されている規制手段を備えた請求項１〜３の何れか１項に記載の詰替え容器用スパウト。
【請求項５】
前記規制手段は、前記蓋部材の先端壁の周縁から前記注出部の側壁において前記蓋部材が被さらない位置に設けられた鍔部の周縁までを覆うように設けられたシュリンクフィルムである請求項４に記載の詰替え容器用スパウト。
【請求項６】
前記規制手段は、前記蓋部材の側壁に設けられた鍔部と、前記注出部の側壁において前記蓋部材が被さらない位置に設けられた鍔部との何れか一方の鍔部に設けられた係合部分と、他方の鍔部に設けられ前記係合部分が係合する被係合部分とによって構成される請求項４に記載の詰替え容器用スパウト。
【請求項７】
前記蓋部材の側壁に設けられた鍔部の周縁に筒部が連設され、該筒部に、前記被詰替え容器の口部に設けられた雄ねじに係合する係合部分が設けられている請求項１〜６の何れか１項に記載の詰替え容器用スパウト。
【請求項８】
前記蓋部材の側壁に、該蓋部材が前記被詰替え容器の口部内に挿入されたときに該口部の周縁に係止する鍔部が設けられ、該鍔部には、該鍔部が前記口部の周縁に係止する状態で、前記蓋部材の側壁と前記口部との間の空間を該口部の外側に連通させるエア抜き用の孔部分または欠落部分が設けられている請求項１〜７の何れか１項に記載の詰替え容器用スパウト。
【請求項９】
前記蓋部材の前記開口部は、前記閉塞部が前記閉塞位置にあるときに前記注出部の先端壁によって閉塞される請求項１〜８の何れか１項に記載の詰替え容器用スパウト。
【請求項１０】
請求項１〜９の何れか１項に記載の詰替え容器用スパウトを備えた詰替え容器。
【発明の詳細な説明】
【技術分野】
【０００１】
本発明は、被詰替え容器に補充する内容物を収容する詰替え容器に設けられる詰替え容器用スパウト及びこれを備えた詰替え容器に関する。
【背景技術】
【０００２】
近年、洗剤やシャンプー、リンス等の多くの商品が詰替え容器に収容された状態で販売されている。斯かる詰替え容器としては、上側のコーナー部分が斜めに切り取られることにより注出口が開口するパウチ容器や、このパウチ容器の前記注出口に口が塞がらないようにするためのストロー状の注ぎ出し部を設けたもの等がある。
【０００３】
すなわち、斯かる詰替え容器は、例えばポンプ式でポリプロピレン製のボトル等の被詰替え容器（使用時用容器）に商品を詰め替えた後は廃棄されるため、被詰替え容器よりも簡易な構成を有している。従って、このような詰替え容器を利用することは、省資源であり、環境保護の面から好ましい。
【発明の概要】
【発明が解決しようとする課題】
【０００４】
しかし、商品を詰替え容器から被詰替え容器に詰め替える際にその商品がこぼれ易く、また商品が粘性液の場合、時間が掛かる等、詰替え作業が煩わしいこともあり、詰替え容器の利用に消極的な消費者も多い。
【０００５】
本発明は上述の実情に鑑みてなされたもので、その目的は、詰替え作業を簡易かつ良好に行える詰替え容器用スパウト及びこれを備えた詰替え容器を提供することにある。
【課題を解決するための手段】
【０００６】
上記目的を達成するために、本発明に係る詰替え容器用スパウトは、被詰替え容器に補充する内容物を収容する詰替え容器に設けられる詰替え容器用スパウトであって、
前記詰替え容器に収容された内容物の注出路を構成する略筒状の注出部と、
前記注出路を閉塞する閉塞部を有する蓋部材とを備え、
前記注出部と前記蓋部材とは、該蓋部材が該注出部に被さる状態で、前記閉塞部が前記注出路を閉塞する閉塞位置から閉塞しなくなる開放位置にまで相対的にスライドさせることが可能であり、
前記蓋部材は、前記閉塞部が前記開放位置にあるときに前記注出路を該蓋部材の外側に連通させる開口部を有する（請求項１）。
【０００７】
詳しくは、前記注出部及び前記蓋部材はそれぞれ、略筒状の側壁と該側壁の先端側に連設された先端壁とを備え、前記注出部の側壁の外周面に前記蓋部材の側壁の内周面が沿う状態で該注出部と該蓋部材とは相対的にスライド可能であり、
前記注出部の先端壁に、前記注出路の下流部を構成する貫通孔が設けられていると共に、前記蓋部材の先端壁に前記閉塞部が設けられ、該閉塞部は前記貫通孔を閉塞することによって前記注出路を閉塞し、
また、前記蓋部材の先端壁に前記開口部が設けられている（請求項２）。
【０００８】
また、前記蓋部材の側壁の内周面又は前記注出部の側壁の外周面の何れか一方に係止部が設けられ、
他方に、前記閉塞部が前記閉塞位置にあるときに前記係止部が係止する第一被係止部と、前記閉塞部が前記開放位置にあるときに前記係止部が係止する第二被係止部との何れか一方若しくは両方が設けられていてもよい（請求項３）。
【０００９】
上記詰替え容器用スパウトが、前記閉塞部が前記閉塞位置にある状態で前記注出部と前記蓋部材との相対的なスライドを規制し、この規制の解除が可能に構成されている規制手段を備えていてもよい（請求項４）。
【００１０】
前記規制手段を、前記蓋部材の先端壁の周縁から前記注出部の側壁において前記蓋部材が被さらない位置に設けられた鍔部の周縁までを覆うように設けられたシュリンクフィルムとすることができる（請求項５）。
【００１１】
また、前記規制手段を、前記蓋部材の側壁に設けられた鍔部と、前記注出部の側壁において前記蓋部材が被さらない位置に設けられた鍔部との何れか一方の鍔部に設けられた係合部分と、他方の鍔部に設けられ前記係合部分が係合する被係合部分とによって構成してもよい（請求項６）。
【００１２】
上記詰替え容器用スパウトにおいて、前記蓋部材の側壁に設けられた鍔部の周縁に筒部が連設され、該筒部に、前記被詰替え容器の口部に設けられた雄ねじに係合する係合部分が設けられていてもよい（請求項７）。
【００１３】
上記詰替え容器用スパウトにおいて、前記蓋部材の側壁に、該蓋部材が前記被詰替え容器の口部内に挿入されたときに該口部の周縁に係止する鍔部が設けられ、該鍔部には、該鍔部が前記口部の周縁に係止する状態で、前記蓋部材の側壁と前記口部との間の空間を該口部の外側に連通させるエア抜き用の孔部分または欠落部分が設けられていることが好ましい（請求項８）。
【００１４】
前記蓋部材の前記開口部が、前記閉塞部が前記閉塞位置にあるときに前記注出部の先端壁によって閉塞されるようにしてもよい（請求項９）。
【００１５】
上記目的を達成するために、本発明に係る詰替え容器は、請求項１〜９の何れか１項に記載の詰替え容器用スパウトを備えた（請求項１０）。
【発明の効果】
【００１６】
請求項１〜１０に係る発明では、詰替え作業を簡易かつ良好に行える詰替え容器用スパウト及びこれを備えた詰替え容器が得られる。
【００１７】
すなわち、請求項１、２に係る発明では、被詰替え容器の口部にスパウトを差し込んだ後、蓋部材を押さえつつ注出部及び容器本体を持ち上げる（上方にスライドさせる）だけで被詰替え容器に対する内容物の詰替えを行うことができる。また、詰替えの際に、被詰替え容器に詰替え容器のスパウトを挿入（接続）した後に、注出部及び容器本体を蓋部材に対して相対的にスライドさせて密封を解く構造とすることができるので、内容物がこぼれることも確実に防止される。
【００１８】
請求項３に係る発明では、第一被係止部を設ける場合、スパウト（蓋部材）を被詰替え容器の口部に挿入する際に、スパウトを下に向けても、係止部と第一被係止部との係止によって、蓋部材がスライドして注出部から自然に外れて落下する、ということを防止することができる。また、第二被係止部を設ける場合、注出部及び容器本体を持ち上げる際に、係止部を第二被係止部に係止させれば、注出部及び容器本体から手を放してもそのままの状態を保つことが可能となる。
【００１９】
請求項４〜６に係る発明では、規制手段によって注出路の閉塞を確実に保つことができると共に店頭におけるいたずら防止や未開封確認も可能であり、また、規制手段による注出部と蓋部材との相対的なスライドの規制を解除すれば、詰替え作業を支障無く行うことができる。
【００２０】
請求項７に係る発明では、スパウトを被詰替え容器の口部に挿入した後、口部に対する蓋部材の挿入状態を維持したまま、注出部及び容器本体を持ち上げる際に、係合部分を口部の雄ねじに係合させておくことにより、蓋部材の鍔部を口部の周縁に押し付けておく手間が省け、注出部及び容器本体の持ち上げ操作が容易になる上、蓋部材が不意に口部から抜けて内容物がこぼれてしまうことを確実に防止することができ、さらに、容器本体自体に形状保持性があれば、内容物の注出中に詰替え容器や被詰替え容器から手を放しておくこともできる。
【００２１】
請求項８に係る発明では、詰替え容器（容器本体）から被詰替え容器内への内容物の注出に伴って、被詰替え容器内の空気をエア抜き用の孔部分または欠落部分から流出させることができるので、それだけ被詰替え容器に対する内容物の注入（詰替え）をスムーズに行うことが可能となる。
【００２２】
請求項９に係る発明では、蓋部材の閉塞部による注出路の閉塞と、注出部の先端壁による蓋部材の開口の閉塞とによって、詰替え容器の高い密閉性を確保することができる。
【００２３】
そして、請求項１０に係る発明では、上記各効果が得られる。
【図面の簡単な説明】
【００２４】
【図１】（Ａ）及び（Ｂ）は、本発明の一実施の形態に係る詰替え容器用スパウトを有する詰替え容器の未注出状態及び注出状態の構成を概略的に示す説明図である。
【図２】（Ａ）及び（Ｂ）は、前記詰替え容器用スパウトの蓋部材の構成を概略的に示す正面図及び平面図である。
【図３】（Ａ）及び（Ｂ）は、前記詰替え容器用スパウトの注出部の構成を概略的に示す正面図及び縦断面図である。
【図４】前記詰替え容器の未使用状態の構成を概略的に示す説明図である。
【図５】前記詰替え容器用スパウトの変形例の構成を概略的に示す説明図である。
【図６】（Ａ）は、前記詰替え容器用スパウトの他の変形例の構成を概略的に示す説明図、（Ｂ）及び（Ｃ）はその注出部及び蓋部材の構成を概略的に示す平面図である。
【発明を実施するための形態】
【００２５】
以下、本発明の実施の形態について図面を参照しながら説明する。
【００２６】
まず、本実施形態に係る詰替え容器はパウチ容器であり、図１（Ａ）及び（Ｂ）並びに図４に示すように、袋部を構成する容器本体１とスパウト２とを備えている。
【００２７】
容器本体１は、適宜の機能を有するフィルムやアルミニウム箔等を積層したシートから成形され、上下及び側部が熱シールされるものである。尚、容器本体１の構成には公知のものを採用可能であり、その素材や構造・形状等は特に限定されない。
【００２８】
スパウト２は、略筒状（本実施形態では略円筒状）の注出部３（図３（Ａ）及び（Ｂ）も参照）と、蓋部材４（図２（Ａ）及び（Ｂ）も参照）とを備えている。尚、注出部３の基端側は、容器本体１に例えば熱シールにより固着される。
【００２９】
そして、本実施形態の詰替え容器は、図１（Ａ）に示すように、被詰替え容器Ｃの口部Ｃ１に、スパウト２をその先端側から挿入した後、図１（Ｂ）に示すように、口部Ｃ１に対する蓋部材４の挿入状態を維持しつつ、注出部３及び容器本体１を持ち上げることにより、詰替え容器（容器本体１）に収容された内容物を被詰替え容器Ｃに詰め替える（補充する）ことができるように構成されている。
【００３０】
すなわち、注出部３は、詰替え容器（容器本体１）に収容した内容物の注出路Ｔ（図１（Ｂ）参照）を構成するものであり、図１（Ａ）に示す状態では、この注出路Ｔは蓋部材４の先端壁４ａに設けられた閉塞部５によって閉塞されている。
【００３１】
詳しく述べると、注出部３の先端壁３ａには、注出路Ｔの下流部を構成する平面視略一文字状の貫通孔６（図１（Ｂ）、図３（Ａ）及び（Ｂ）参照）が設けられており、蓋部材４の閉塞部５はこの貫通孔６を閉塞することにより、注出路Ｔを閉塞する。すなわち、閉塞部５は、貫通孔６を閉塞可能な形状を有している。
【００３２】
また、注出部３は、先端側に先端壁３ａが連設された略筒状の側壁３ｂを有し（図３（Ａ）及び（Ｂ）参照）、蓋部材４は、先端側に先端壁４ａが連設された略筒状の側壁４ｂを有している（図２（Ａ）及び（Ｂ）参照）。そして、注出部３と蓋部材４とは、蓋部材４が注出部３に被さり、注出部３の側壁３ｂの外周面に蓋部材４の側壁４ｂの内周面が沿う状態で、閉塞部５が注出路Ｔ（貫通孔６）を閉塞する閉塞位置（図１（Ａ）参照）から閉塞しなくなる開放位置（図１（Ｂ）参照）にまで、注出部３の軸方向（上下方向）に相対的にスライド可能となっている。
【００３３】
さらに、蓋部材４の先端壁４ａには、閉塞部５が開放位置にあるとき（図１（Ｂ）参照）に注出路Ｔを蓋部材４の外側に連通させる開口部７（図示例では二つの開口部７）を設けてある（図１（Ｂ）及び図２（Ｂ）参照）。従って、閉塞部５が開放位置にあるときには、注出路Ｔが開放されて開口部７からの内容物の注出が可能となる。尚、二つの開口部７は、閉塞部５が閉塞位置にあるとき（図１（Ａ）参照）には、注出部３の先端壁３ａによって閉塞される。
【００３４】
次に、本実施形態の詰替え容器を用いた詰替え方法について、本詰替え容器のより具体的な構成にも言及しながら、説明する。
【００３５】
本実施形態の詰替え容器は、未使用状態（例えば販売時の状態）では、図４に示すように閉塞部５が閉塞位置にある。そして、未使用状態の詰替え容器（スパウト２）は、規制手段８としてのシュリンクフィルムを備えている。この規制手段８は、注出部３と蓋部材４との相対的なスライドを規制し、この規制の解除が可能に構成されたものである。
【００３６】
そして、シュリンクフィルムである規制手段８は、図４に示すように、蓋部材４の先端壁４ａの周縁から注出部３の側壁３ａにおいて蓋部材４が被さらない位置に設けられた鍔部９の周縁までを覆うように設けられている。また、このシュリンクフィルムを引き裂いて注出部３及び蓋部材４から取り除くという作業を簡単に行えるように、シュリンクフィルムには図示していない適宜の切り口や弱化線（切り取り線）を設けてある。
【００３７】
一方、蓋部材４の側壁４ｂの内周面には係止部１０が設けられており（特に図２（Ａ）及び（Ｂ）参照）、これに対して、注出部３の側壁３ｂの外周面には、閉塞部５が閉塞位置にあるとき（図１（Ａ）参照）に係止部１０が係止する第一被係止部１１と、閉塞部５が開放位置にあるとき（図１（Ｂ）参照）に係止部１０が係止する第二被係止部１２とが設けられている（特に図３（Ａ）参照）。尚、本実施形態において、係止部１０は、蓋部材４の側壁４ｂの内周面の周方向に略等間隔に設けられた計四つの突起であり、第一被係止部１１及び第二被係止部１２は、注出部３の側壁３ｂの外周面に設けられた環状溝である。
【００３８】
従って、未使用状態にある詰替え容器では、蓋部材４の閉塞部５による注出部３の貫通孔６の閉塞と、注出部３の先端壁３ａによる蓋部材４の開口７の閉塞と、蓋部材４の係止部１０による注出部３の第一被係止部１１への係止と、シュリンクフィルム（規制手段８）の収縮力とによって、容器の密閉性が確保される。
【００３９】
そして、未使用状態にある詰替え容器を用いて被詰替え容器Ｃに対する詰替え作業を行うには、まず、規制手段８（シュリンクフィルム）を引き裂いて取り除く。これにより、規制手段８による注出部３と蓋部材４との相対的なスライドの規制は解除される。
【００４０】
続いて、スパウト２（蓋部材４）を被詰替え容器Ｃの口部Ｃ１に挿入する（図１（Ａ）参照）と、蓋部４の側壁４ｂに設けられた鍔部１３が口部Ｃ１の周縁に係止し、詰替え容器が倒立する状態となる。
【００４１】
ここで、スパウト２（蓋部材４）を被詰替え容器Ｃの口部Ｃ１に挿入する際に、スパウト２を下に向けただけでは、蓋部材４の係止部１０と注出部３の第一被係止部１１とが係止しているので、蓋部材４がスライドして注出部３から自然に外れて落下する、ということはない。
【００４２】
その後、口部Ｃ１に対する蓋部材４の挿入状態を維持しつつ、注出部３及び容器本体１を持ち上げる。ここで、注出部３及び容器本体１を持ち上げる際に、蓋部材４が一緒に持ち上がらないようにするためには、蓋部材４の鍔部１３において、注出部３の鍔部９に設けられた欠落部分９ａから露出する部分を指（手）で押さえ、鍔部１３を口部Ｃ１に押し付ければよい。尚、蓋部材４の鍔部１３にも欠落部分１３ａ（図２（Ａ）及び（Ｂ）参照）を設けてあるが、図２（Ｂ）と図３（Ｂ）とを重ね合わせるようにして対比すれば明らかなように、欠落部分９ａと欠落部分１３ａとの位相はずらしてあり、注出部３の鍔部９の欠落部分９ａから、蓋部材４の鍔部１３の一部が必ず露出することになる。
【００４３】
また、注出部３及び容器本体１を持ち上げるには、注出部３及び容器本体１の何れかにおいて持ち易い部分を持てばよく、例えば、注出部３の鍔部９において、蓋部材４の鍔部１３に設けられた欠落部分１３ａの上方に位置する部分は、被詰替え容器Ｃの口部Ｃ１との間に隙間が形成されており、鍔部９における他の部分よりも持ち易くなっているので、この部分を持つことが考えられる。
【００４４】
上記のようにして注出部３及び容器本体１を持ち上げると、図１（Ｂ）に示すように、詰替え容器（容器本体１）の内容物が被詰替え容器Ｃ内に注出される。
【００４５】
ところで、上述したように、蓋部材４の鍔部１３には欠落部分１３ａが設けられており、欠落部分１３ａは詰替え容器（容器本体１）の内容物が被詰替え容器Ｃ内に注出される際（詰替え時）の被詰替え容器Ｃのエア抜きに資するものとなるが、欠落部分１３ａに加えて、鍔部１３に、鍔部１３が口部Ｃ１の周縁に係止する状態で、蓋部材４の側壁４ｂと口部Ｃ１との間の空間を口部Ｃ１の外側に連通させるエア抜き用の孔部分１３ｂを例えば複数設けてもよい（特に図２（Ｂ）参照）。このように構成すれば、詰替え容器（容器本体１）から被詰替え容器Ｃ内への内容物の注出に伴って、被詰替え容器Ｃ内の空気を孔部分１３ｂからも流出させることができるので、それだけ被詰替え容器Ｃに対する内容物の注入（詰替え）をスムーズに行うことが可能となる。
【００４６】
尚、鍔部１３が口部Ｃ１の周縁に係止する状態で、蓋部材４の側壁４ｂと口部Ｃ１との間に上記エア抜きのための空間が形成されるようにするために、本実施形態では、蓋部材４の側壁４ｂの外径を口部Ｃ１の内径よりも小としてあるが、この構成に加えて、例えば、側壁４ｂの外周面の数箇所（例えば周方向に等間隔に四箇所）に、口部Ｃ１の内面に当接する縦リブ（図示していない）を設けたり、あるいはこれらの構成に代えて、例えば、蓋部材４の側壁４ｂの外径と口部Ｃ１の内径とを略同径とし、側壁４ｂの外周面に縦溝（図示していない）を設けたりすることもできる。何れの場合も、上記エア抜きのための空間は形成される上、蓋部材４の側壁４ｂを、縦リブを介して、あるいは直接、口部Ｃ１内に嵌着固定させることができるので、被詰替え容器Ｃに対して詰替え容器（容器本体１）が安定性良く接続された状態となり、詰替え容器（容器本体１）から被詰替え容器Ｃ内への内容物の注出中に、詰替え容器（容器本体１）から手を放しておくことも可能となる。
【００４７】
また、注出部３及び容器本体１を持ち上げる際に、注出部３の第一被係止部１１から外れた蓋部材４の係止部１０を第二被係止部１２に係止させれば、注出部３及び容器本体１から手を放してもそのままの状態を保つことが可能となる。
【００４８】
そして、被詰替え容器Ｃに対する内容物の注入（詰替え）が完了すれば、口部Ｃ１からスパウト２（蓋部材４）を抜けばよい。
【００４９】
上述のように、本実施形態の詰替え容器を用いて被詰替え容器Ｃに対する内容物の詰替えを行うには、被詰替え容器Ｃの口部Ｃ１にスパウト２を差し込んだ後、蓋部材４を押さえつつ注出部３及び容器本体１を持ち上げる（上方にスライドさせる）だけでよく、詰替え作業が簡易である。また、詰替えの際に、被詰替え容器Ｃに詰替え容器のスパウト２を挿入（接続）した後に、注出部３及び容器本体１を蓋部材４に対して相対的にスライドさせて密封を解く構造のため、内容物がこぼれることも確実に防止される。
【００５０】
ここで、容器本体１に収容される内容物（被詰替え容器Ｃに詰め替える内容物）としては、例えば、洗剤、シャンプーやリンス等が挙げられるが、上記の詰替え作業を行えるものであれば特に限定されない。
【００５１】
また、被詰替え容器Ｃは、スパウト２の蓋部材４を挿入可能な口部Ｃ１を有し、上記の詰替え作業を行えるものであればよく、上掲のポリプロピレン製のボトル等に限定されるものではない。
【００５２】
一方、注出部３の材質は、容器本体１の構成等に応じて任意のものを用いればよく、例えば、ポリエチレン（ＰＥ，ＬＬＤＰＥ）やポリプロピレン（ＰＰ）等を用いることができる。
【００５３】
これに対して、蓋部材４は注出部３の貫通孔６を閉塞する閉塞部５を有しており、貫通孔６を確実に密閉する必要があるので、蓋部材４の材質としては、柔軟性が有り、閉塞部５と貫通孔６との嵌合（食い込み）が良好となるポリエチレン等を用いることが好ましく、弾性素材を用いることもできる。
【００５４】
本発明は、上記の実施の形態に何ら限定されず、本発明の要旨を逸脱しない範囲において種々に変形して実施し得ることは勿論である。例えば、以下のような変形例を挙げることができる。
【００５５】
上記の実施の形態の詰替え容器は、スパウト２が上を向いた状態（図４参照）で直立し、スパウト２が下を向いた状態（図１（Ａ）及び（Ｂ）参照）は倒立した状態に該当する。しかし、詰替え容器を、スパウト２が下を向いた状態（図１（Ａ）及び（Ｂ）参照）で直立するように構成してあってもよい。
【００５６】
容器本体１は、パウチ容器に限らず、例えばプラスチックボトル等のボトルやカートン等であっても良い。すなわち、容器本体１の材質、形状や容量等の構成は、被詰替え容器Ｃに対する内容物の詰替えを行うという目的に合致するものであれば良い。
【００５７】
注出部３は、略円筒状に限らず、略楕円筒状や角筒状等であってもよい。
【００５８】
また、図３（Ｂ）に示す注出部３の略一文字状の貫通孔６の幅（図３（Ｂ）における左右方向の幅）を、内容物の性状等に応じて図示するものより小さくしても大きくしてもよいことは勿論、貫通孔６の形状を、略一文字状ではなく、略十文字状や略星形状等としてもよい。これに対して、閉塞部５の形状は、貫通孔６を閉塞できるものであればよい。すなわち、注出部３と蓋部材４とは、注出部３の軸方向への相対的なスライドによって、注出路Ｔが閉塞される状態と開放される状態とに変更可能に構成されていればよい。従って、例えば、蓋部材４の開口６を、蓋部材４の先端壁４ａではなく側壁４ｂに設けたり、あるいは先端壁４ａと側壁４ｂとの両方に設けたりするようなことも可能である。
【００５９】
注出部３の基端側に設けられる容器本体１への取付部３ｃ（図１（Ａ）及び（Ｂ）、図３（Ｂ）参照）は、略円筒状であってもよいが、一般的にスパウトパウチに利用されている舟形形状等としてもよい。さらに、容器本体１が例えばボトルの場合には注出部３がねじで容器本体１に係合するようにし、容器本体１が例えばカートンの場合には注出部３に設けた鍔形をカートン内面の接着層と接着させる等、容器本体１の構成に応じた取付方法を用いることができる。
【００６０】
注出部３の側壁３ｂにおいて、閉塞部５が閉塞位置にあるときには蓋部材４の側壁４ｂに覆われ、閉塞部５が開放位置にあるときには覆われない部分に、光透過性を持たせ（該部分を透明又は半透明とし）、図１（Ｂ）に示す詰替え時に注出部３の側壁３ｂ内を通過する内容物を側壁３ｂの該部分の外側から直接、または影として間接的に視認可能とし、詰替えが完了したことを簡単に把握することができるようにしてもよい。この場合、例えば蓋部材４に光遮断性を持たせてあれば、外部の光が側壁３ｂの前記部分から内部に入射することが防止され、光の入射による内容物の変質等を防止することができる。
【００６１】
注出部３の鍔部９は、略リング状に限らず、花びら形や十文字形等であってもよい。また、鍔部９を設けなくてもよく、この場合、当然のことながら鍔部９を掴むことはできなくなるので、図１（Ａ）に示す状態から図１（Ｂ）に示す状態とするに際しては、例えば、抽出部３の側壁３ｂを掴んで抽出部３及び容器本体１を引き上げるようにすることが考えられる。
【００６２】
蓋部材４の係止部１０を構成する突起の数は四つに限らない。また、第一被係止部１１、第二被係止部１２をそれぞれ突起とし、係止部１０を各突起が係止する環状溝とする等、係止部１０と第一、第二被係止部１１，１２とは、互いに係止可能であればよく、種々の構成を採用可能である。さらに、係止部１０を注出部３の外周面に設け、第一被係止部１１、第二被係止部１２を蓋部材４の内周面に設けてもよい。
【００６３】
蓋部材４の鍔部１３は、蓋部材４を被詰替え容器Ｃの口部Ｃ１に挿入した際に、口部Ｃ１の周縁に係止し、詰替え容器の倒立姿勢を維持できるように構成されていれば良く、略リング状に限らず、花びら形や十文字形等とすることもできる。
【００６４】
図２（Ｂ）には、蓋部材４の鍔部１３に計六つの孔部分１３ｂが設けられた例を示してあるが、孔部分１３ｂの数や各孔部分１３ｂの形状、大きさ等は種々に変更可能である。また、欠落部分１３ａを、鍔部１３が口部Ｃ１の周縁に係止する状態で、蓋部材４の側壁４ｂと口部Ｃ１との間の空間を口部Ｃ１の外側に連通させるエア抜き用の欠落部分として構成すれば、孔部分１３ｂと同様の機能（被詰替え容器Ｃのエア抜き機能）を欠落部分１３ａにも発揮させることが可能であり、この場合、欠落部分１３ａと孔部分１３ｂとで必要なエア抜き機能が得られるように構成すればよい。すなわち、欠落部分１３ａ、孔部分１３ｂの何れか一方のみを設けるようにすることもできる。
【００６５】
スパウト２の先端面（上面）の略全体を覆うように、あるいはシュリンクフィルムである規制手段８の上部開口８ａ（図４参照）を覆うように、ラベル（図示していない）をスパウト２の先端面あるいは規制手段８に剥離可能に貼着してもよく、この場合には、斯かるラベルによって、注出部３の先端壁３ａと蓋部材４の先端壁４ａとの隙間から異物が詰替え容器内に進入することを防止することができる。
【００６６】
図５に示すように、蓋部材４の側壁４ｂに設けられた鍔部１３の周縁に筒部１４を連設し、筒部１４に、被詰替え容器Ｃの口部Ｃ１に設けられた雄ねじＣ２に係合する係合部分１４ａを設けてもよい。この場合、スパウト２を口部Ｃ１に挿入した後、口部Ｃ１に対する蓋部材４の挿入状態を維持したまま、注出部３及び容器本体１を持ち上げる際に（図１（Ｂ）参照）、係合部分１４ａを雄ねじＣ２に係合させておくことにより、蓋部材４の鍔部１３を口部Ｃ１の周縁に押し付けておく手間が省け、注出部３及び容器本体１の持ち上げ操作が容易になる上、蓋部材４が不意に口部Ｃ１から抜けて内容物がこぼれてしまうことを確実に防止することができ、さらに、容器本体１自体に形状保持性があれば、内容物の注出中に詰替え容器や被詰替え容器Ｃから手を放しておくこともできる。
【００６７】
図６（Ａ）〜（Ｃ）に示すように、規制手段８を、注出部３の鍔部９または蓋部材４の鍔部１３の何れか一方（図示例では鍔部１３）に設けられた係合部分１５と、他方の鍔（図示例では鍔部９）に設けられ係合部分１５が係合する被係合部分１６とによって構成してもよい。
【００６８】
すなわち、係合部分１５は、図６（Ａ）及び（Ｃ）に示すように、鍔部１３に連設され他方の鍔部９を抱くように折れ曲がった縦断面略コの字状をしており、その先端側に凹部（図示例では貫通孔）１５ａが設けられている。また、被係合部分１６は、図６（Ａ）及び（Ｂ）に示すように、鍔部９の容器本体１側の面において凹部１５ａに対応する位置に設けられた凸部である。
【００６９】
そして、図６（Ａ）に示すように、被係合部分（凸部）１６に係合部分１５（凹部１５ａ）が係合する状態では、注出部３と蓋部材４との注出部３の軸方向への相対的なスライドが規制され、この状態から、係合部分１５が鍔部９の欠落部分９ａに対応する位置にくるまで、注出部３と蓋部材４とを注出部３の軸回りに相対的に回動させれば、係合部分１５と被係合部分１６との係合が解かれ、前記規制が解除されるように構成されている。
【００７０】
ここで、注出部３と蓋部材４とを注出部３の軸回りに相対的に回動させる必要があるので、注出部３の貫通孔６は注出部３の軸を中心とする略円形状としてあり（図６（Ｂ）参照）、蓋部材４の閉塞部５はこの略円形状の貫通孔６を閉塞可能な形状（例えば貫通孔６より少し大きな略円柱形状）としてある（図６（Ａ）及び（Ｃ）参照）。また、図６（Ａ）に示すように、先端壁３ａは開口部７内に進入しないように構成してある。
【００７１】
尚、係合部分１５に凹部１５ａを設けず、鍔部９にも凸部である被係合部分１６を設けないようにして、係合部分１５が鍔部９に単に係合するだけとなるようにしてもよい。この場合、鍔部９自体が被係合部分１６となる。
【００７２】
また、図６（Ｃ）には、係合部分１５を鍔部１３に対して部分的に設けた例を示してあるが、係合部分１５を鍔部１３に対して全体的に設けてもよい。
【００７３】
また、図６（Ａ）〜（Ｃ）には、注出部３と蓋部材４とを注出部３の軸回りに相対的に回動させれば、係合部分１５と被係合部分１６との係合が解かれるように構成した例を示してあるが、このような構成に代えて、例えば、鍔部１３と係合部分１５との境界部分を薄肉にし、係合部分１５を外側に延ばして広げることにより、係合部分１５と被係合部分１６（鍔部９）との係合が解かれるようにしてもよい。
【００７４】
また、鍔部１３に係合部分１５を設け、鍔部９に被係合部分１６を設ける（あるいは鍔部９を被係合部分１６とする）構成に代えて、鍔部９に係合部分１５を設け、鍔部１３に被係合部分１６を設ける（あるいは鍔部１３を被係合部分１６とする）構成を採用してもよい。
【００７５】
尚、上述した複数の変形例は、相互に適宜に組み合わせてもよいことはいうまでもない。
【符号の説明】
【００７６】
１    容器本体
２    スパウト
３    注出部
４    蓋部材
５    閉塞部
６    貫通孔
７    開口部
８    規制手段
９    鍔部
１０    係止部
１１    第一被係止部
１２    第二被係止部
１３    鍔部
Ｃ    被詰替え容器
Ｃ１  口部
Ｔ    注出路
【図１】
2011207489.tif 000003
【図２】
2011207489.tif 000004
【図３】
2011207489.tif 000005
【図４】
2011207489.tif 000006
【図５】
2011207489.tif 000007
【図６】
2011207489.tif 000008